(57)【要約】【課題】  携帯電話機等の趣味性や娯楽性を，従来と比較して，更に発展させることを目的とする。【解決手段】  本発明では，ユーザーは，楽曲を演奏する音色にしたいペットの鳴き声や人の話声等を，携帯電話機等のユーザー端末装置３の録音機能を用いて録音して記録し，それをインターネット１を介してサーバー２に送信する。サーバーではユーザーから送信された録音データから，MIDI等のフォーマットの曲データに対応して発音可能なボイスを作成し，それを記録する。次いでサーバーでは，ユーザーが選択した曲目の曲データを，作成したボイスにより演奏して曲演奏データを生成し，これを記憶する。この曲演奏データは携帯電話機等に送信して記録し，着信音として利用することができる。【選択図】      図１
2007123995.tif 000002
【特許請求の範囲】
【請求項１】
インターネットに接続されたサーバーと多数のユーザー端末装置とから構成し，ユーザー端末装置には，送受信手段と，録音・再生手段と，録音データ記録手段と，曲演奏データ記録手段と，曲演奏手段とを構成し，またサーバーには，送受信手段と，各ユーザー毎の情報を記録するユーザー情報記録手段と，曲演奏データ生成手段を構成し，上記ユーザー情報記録手段には，ユーザー情報記録フィールドと，ユーザーから送信された録音データを記録する録音データ記録フィールドと，録音データから形成されたボイスを記録するボイス記録フィールドと，ボイスを用いて演奏された曲演奏データを記録する曲演奏データ記録フィールドを構成すると共に，曲演奏データ生成手段には，上記録音データ記録フィールドに記録されている録音データを処理して，ボイスを作成するボイス作成手段と，作成したボイスにより演奏可能な曲目を記録する曲目インデックス記録手段と，曲目に対応する曲データを記録した曲データ記録手段と，選択された曲目の曲データをボイス作成手段で作成されたボイスで演奏した曲演奏データを生成する曲演奏データ生成手段とを構成したこと特徴とするインターネットを用いた曲演奏データ作成システム。
【請求項２】
ユーザー端末装置は，携帯電話機であることを特徴とする請求項１に記載のインターネットを用いた曲演奏データ作成システム。
【請求項３】
ユーザー端末装置は，パーソナルコンピュータやPDAであることを特徴とする請求項１に記載のインターネットを用いた曲演奏データ作成システム。
【発明の詳細な説明】
【技術分野】
【０００１】
本発明は，インターネットを用いた曲演奏データ作成システムに関するものである。
【背景技術】
【０００２】
携帯電話機において通話やメールの着信を知らせる着信音は，電子音による単なる信号から始まり，単音による楽曲のメロディーの演奏，和音による楽曲の演奏へと発展し，いわゆる「着信メロディー」として広く使用されている。また，音源を含めたハードウエアの発展により，演奏家の実際の演奏の録音を着信時の着信音として再生することも行われている。
【０００３】
このように携帯電話機において楽曲の演奏を着信音として利用するための代表的な方法としては，まず，携帯電話機に，所定のファイルフォーマットで電子化された曲データの記録手段と，音源を有する再生手段を構成し，曲データにより音源を制御して所定の楽器音等を生成して演奏する方法がある。
【０００４】
この方法では，ファイルフォーマットとしては，一般的なスタンダードMIDI（Musical
Instruments Digital Interface）や，携帯電話機用に構成したSMAF（Synthetic music Mobile
Application Format）等がある。
【０００５】
そしてこれらのファイルフォーマットの曲データの再生に使用する音源としてはFM（Frequency
Modulation）音源やPCM（Pulse Code Modulation）音源等があり，PCM音源には，予め録音された音色波形データをROMに記録して，記録された音色（ボイス）のみを発音するように構成した音源や，ユーザー等が録音した録音データをボイスに変換して，そのボイスの発音を可能とした音源，いわゆるサンプラー等がある。
【０００６】
また楽曲の演奏を着信音として利用するための他の方法としては，演奏家の実際の演奏の録音データを，mp3（MPEG Audio Layer-3），WMA，AAC（Advanced Audio Coding）等のコーデックで圧縮し，そのファイルを携帯電話機に構成した記録手段に記録して，再生手段により再生する方法がある。
【０００７】
一方，上記着信メロディを発生させる楽曲のデータは，夫々の携帯電話機において，キーを用いて入力して，所定の記憶領域に記憶させたり，携帯電話機の送受信機能を利用し，通信回線を介して，多数の楽曲データが登録されているサイトからダウンロードして記憶する等の方法が行われている。また録音データの圧縮ファイルについても，携帯電話機の送受信機能を利用し，通信回線を介して，多数の楽曲データが登録されているサイトからダウンロードして記憶する等の方法が行われている。
【０００８】
以上に説明した携帯電話機の着信メロディに関する従来技術としては，例えば特許文献１〜特許文献３に示されるようなものがある。
【０００９】
例えば特許文献１は，手間がかかり、音楽に知識がなければ作成が困難であった携帯電話機の着信メロディの作成を簡単に行えるようにしたもので，携帯電話機のメロディデータ記憶領域に複数のメロディパターンを記憶しておき、制御部により乱数発生部の乱数を用いてメロディデータ記憶領域の任意のメロディパターンを繋ぎ合わせて着信メロディを作成するというものである。
【００１０】
また特許文献２は，通信による着信メロディサービスを携帯電話機のユーザーが利用する際、通話料の負担を大幅に軽減させ、ダウンロードに要する時間を短縮化させることを目的とした装置に関し，多数のメロディをストックしたセンターに携帯電話機でアクセスし、好みのメロディを選択した後に、それを携帯電話機にダウンロードして登録することにより、以後この選択したメロディを携帯電話機の着信音として機能させ得るようにした着信メロディ選択方法において、ユーザーが携帯電話機でセンターにアクセスしてメロディを試聴し、好みのメロディを選択して指示するまでの段階を通話状態の中で実行し、センターからユーザーの携帯電話機へアクセスし、選択指示のなされたメロディを携帯電話機へダウンロードするまでの段階を着信待ち受け状態の中で実行するようにしたものである。
【００１１】
また特許文献３は，通信による着信メロディの配信に関するもので，各ユーザーは，携帯電話機に加えて家庭用情報端末を設置し，この家庭用情報端末から電話回線を介してデータベースを発呼して、このデータベースからMIDIフォーマットの曲データを，まず，家庭用情報端末に受信し，この曲データを携帯電話機のキー対応文字に変換して表示し，ユーザーが携帯電話機にキー入力したり，又はデータ転送アダプターを介して転送して，携帯電話機の所定の記録手段に記録して着信メロディとするものである。
【特許文献１】特開平１１−２５２２１２号公報
【特許文献２】特開２０００−１３４３３２号公報
【特許文献３】特開２０００−２７８４４８号公報
【発明の開示】
【発明が解決しようとする課題】
【００１２】
このように携帯電話機における着信音は，単に通話やメールの着信を知らせる機能から発展して，趣味や娯楽という側面も生じている。
【００１３】
本発明者は，このような観点から鋭意考察の結果，携帯電話機の着信メロディにおける楽曲の演奏を，携帯電話機のユーザーにとって身近な存在の動物や人等の音色（ボイス）で行えるようにすることにより，趣味性や娯楽性を，従来と比較して，更に発展させ得ることに想到した。例えば，愛犬家にとって，自分の愛犬が演奏する楽曲等を着信音とした場合には，着信の度に，愛犬の声を聞けることになり，大きな満足感を得ることができる。
【００１４】
本発明は以上の点に鑑みて創案されたもので，即ち，携帯電話機の着信メロディにおける楽曲の演奏を，携帯電話機のユーザーにとって身近な存在の動物や人等の音色（ボイス）で行えるようにすることを第１の目的とするものである。
【００１５】
また本発明では，身近な存在の動物や人等の音色による楽曲の演奏を，携帯電話機ばかりでなく，インターネットに接続された携帯電話機以外のユーザーの端末装置においても行えるようにすることを次の目的とするものである。
【課題を解決するための手段】
【００１６】
上述した課題を解決するために本発明では，インターネットに接続されたサーバーと多数のユーザー端末装置とから構成し，ユーザー端末装置には，送受信手段と，録音・再生手段と，録音データ記録手段と，曲演奏データ記録手段と，曲演奏手段とを構成し，またサーバーには，送受信手段と，各ユーザー毎の情報を記録するユーザー情報記録手段と，曲演奏データ生成手段を構成し，上記ユーザー情報記録手段には，ユーザー情報記録フィールドと，ユーザーから送信された録音データを記録する録音データ記録フィールドと，録音データから形成されたボイスを記録するボイス記録フィールドと，ボイスを用いて演奏された曲演奏データを記録する曲演奏データ記録フィールドを構成すると共に，曲演奏データ生成手段には，上記録音データ記録フィールドに記録されている録音データを処理して，ボイスを作成するボイス作成手段と，作成したボイスにより演奏可能な曲目を記録する曲目インデックス記録手段と，曲目に対応する曲データを記録した曲データ記録手段と，選択された曲目の曲データをボイス作成手段で作成されたボイスで演奏した曲演奏データを生成する曲演奏データ生成手段とを構成したインターネットを用いた曲演奏データ作成システムを提案するものである。
【００１７】
そして本発明では，以上のシステムにおいて，ユーザー端末装置を，携帯電話機として構成することを提案する。
【００１８】
また本発明では，以上のシステムにおいて，ユーザー端末装置を，パーソナルコンピュータとして構成することを提案する。
【発明の効果】
【００１９】
本発明において，ユーザーは，楽曲を演奏する音色にしたいペットの鳴き声や人の話声等を，ユーザー端末装置の録音・再生手段の録音機能を用いて録音し，それを録音データ記録手段に記録する。思い通りの録音が出来たか否かは，録音・再生手段の再生機能を用いて再生して確認することができる。
【００２０】
尚，録音データのファイルフォーマットは，サーバーにおいて扱えるフォーマットであれば，「wav」,「au」等の無圧縮ファイルフォーマットの他，上記「mp3」，「AAC」等の圧縮系ファイルフォーマットでも良い。
【００２１】
思い通りの録音が出来た場合には，ユーザーは，インターネットを介してサーバーのサイトにアクセスして，サーバーが提供する曲演奏データ作成機能を利用する。
【００２２】
即ち，サーバーが提供する曲演奏データ作成機能において，ユーザー端末装置の録音データ記録手段に記憶されている所望の録音データはインターネットを介してサーバーに送信され，サーバーに構築されているデータベース，即ち，ユーザー情報記録手段の，当該ユーザーの録音データ記録フィールドに記録される。
【００２３】
次いで曲演奏データ作成機能において，録音データ記録フィールドに記録されている録音データはボイス作成手段により処理され，ボイスが作成される。作成されるボイスには，必要に応じてループ等の情報が付加される。そして作成されたボイスは，ボイスファイルとして当該ユーザーのボイス登録フィールドに記録される。
【００２４】
サーバーが提供する曲演奏データ作成機能において，ユーザーは曲目インデックス記録手段に記録されている曲目インデックスの内容を閲覧して，所望の曲目を選択する。
【００２５】
サーバーが提供する曲演奏データ作成機能において，曲演奏データ生成手段は，選択された曲目の曲データを，曲データ記録手段から取り出し，曲データを，ボイス作成手段で作成されたボイスで演奏した曲演奏データを生成する。
【００２６】
このように曲演奏データを生成するために，曲データは，例えば上述したように，ボイスを適宜に割り当て可能な，MIDIファイルやSMAFファイルとして構成すると共に，曲演奏データ生成手段には，上記曲データにおける音符データのシーケンスに対応して，当該ボイスの発音を制御可能な音源を構成している。
【００２７】
以上のようにして曲演奏データ生成手段により生成された当該曲目の曲演奏データは，上記ユーザー情報記録手段の曲演奏データ記録フィールドに記録される。この曲演奏データ記録フィールドに記録される曲演奏データのフォーマットは，当該ユーザー端末装置において演奏可能なフォーマットとし，このフォーマットはユーザーにおける選択が可能な複数のファイルフォーマット，例えば上記mp3，WMA又はAAC等として構成することができる。
【００２８】
こうしてユーザー情報記録手段の曲演奏データ記録フィールドに記録された曲演奏データは，サーバーからインターネットを介してユーザー端末装置に送信され，ユーザー端末装置の曲演奏データ記録手段に記録される。
【００２９】
このユーザー端末装置の曲演奏データ記録手段に記録された曲演奏データは，必要に応じてユーザー端末装置の曲演奏手段により演奏することができ，通話やメールの着信を知らせる着信音として利用することができる。
【００３０】
尚，ユーザー端末装置が携帯電話機の場合には，曲演奏手段は，上記mp3，WMA又はAAC等の圧縮系ファイルフォーマットの曲演奏データを再生可能な構成とすると良い。
【００３１】
ユーザー端末装置が携帯電話機の場合には，ユーザーは，携帯電話機のマイク部を，例えば犬や猫又は人に向けて容易に録音することができるので，簡単な操作で，身近な存在の動物や人等の音色（ボイス）での，所望の楽曲の演奏を行わせることができ，趣味性や娯楽性を更に発展させることができる。
【発明を実施するための最良の形態】
【００３２】
次に本発明の実施形態を添付図面を参照して説明する。
図１は本発明のシステムの全体構成を示す系統図である。
図において，符号１はインターネット，２はインターネット１に接続されたサーバー，３（３ａ，３ｂ，３ｃ，…）はインターネット１に接続されたユーザー端末装置である。このユーザー端末装置３（以降，符号３により，多数のユーザー端末装置３ａ，３ｂ，３ｃ，…を代表する。）は携帯電話機の他，据置型のパーソナルコンピュータや可搬型のパーソナルコンピュータ又はPDA（Personal Digital Assistance）により構成することができる。
【００３３】
上記ユーザー端末装置３には，送受信手段４と，録音・再生手段５と，録音データ記録手段６と，曲演奏データ記録手段７と，曲演奏手段８とを構成している。尚，符号９は録音・再生手段５のマイク，１０はスピーカーであり，ユーザー端末装置３が携帯電話機の場合には，これらは携帯電話機における通話用のものを兼用することができる。
【００３４】
サーバー２には，送受信手段１１と，各ユーザー（Ａ，Ｂ，Ｃ，…）毎の情報を記録するユーザー情報記録手段１２と，曲演奏データ生成手段１３を構成している。そしてユーザー情報記録手段１２には，夫々のユーザー（Ａ，Ｂ，Ｃ，…）毎に，ユーザー情報記録フィールド１４と，ユーザー（Ａ，Ｂ，Ｃ，…）から送信された録音データを記録する録音データ記録フィールド１５と，録音データから形成されたボイスを記録するボイス記録フィールド１６と，ボイスを用いて演奏された曲演奏データを記録する曲演奏データ記録フィールド１７を構成している。更に，曲演奏データ生成手段１３には，上記録音データ記録フィールド１５に記録されている録音データを処理して，ボイスを作成するボイス作成手段１８と，作成したボイスにより演奏可能な曲目を記録する曲目インデックス記録手段１９と，曲目に対応する曲データを記録した曲データ記録手段２０と，選択された曲目の曲データをボイス作成手段１８で作成されたボイスで演奏した曲演奏データを生成する曲演奏データ生成手段２１とを構成している。
【００３５】
以上の構成において，ユーザーＡ，Ｂ，Ｃ，…は，楽曲を演奏する音色にしたい犬や猫等のペットの鳴き声や人の話声等を，ユーザー端末装置３の録音・再生手段５の録音機能を用いてマイク９により録音し，それを録音データ記録手段６に記録する。思い通りの録音が出来たか否かは，録音・再生手段５の再生機能を用い，スピーカー１０により再生して確認することができる。
【００３６】
上述したとおり，録音データのファイルフォーマットは，サーバー２において扱えるフォーマットであれば，「wav」,「au」等の無圧縮ファイルフォーマットの他，「mp3」，「AAC」等の圧縮ファイルフォーマットを用いることができ，後者の方がファイルの大きさを小さくすることができるので，サーバー２への送信において好適である。
【００３７】
思い通りの録音が出来た場合には，ユーザーは，ユーザー端末装置３によりインターネット１を介してサーバー２のサイトにアクセスして，サーバー２が提供する曲演奏データ作成機能を利用する。
【００３８】
曲演奏データ作成機能において，サーバー２には，各ユーザー（Ａ，Ｂ，Ｃ，…）毎の情報を記録するユーザー情報記録手段１２が必要であるため，各ユーザー（Ａ，Ｂ，Ｃ，…）は，曲演奏データ作成機能を利用する際には，予め，サーバー２にユーザー登録をすることが必要となる。
【００３９】
このためユーザーがユーザー端末装置３によりサーバー２のサイトにアクセスし，曲演奏データ作成機能を利用する場合には，サーバー２側において，登録されているユーザーの認証動作と，未登録ユーザーのユーザー登録動作を行わせるステップを設ける。
【００４０】
ユーザー登録動作において，サーバー２には，ユーザー情報記録フィールド１４，録音データ記録フィールド１５，ボイス記録フィールド１６及び曲演奏データ記録フィールド１７等を有するユーザー情報記録手段１２が構成される。そして，ユーザー端末装置３からサーバー２側に送信されたユーザー情報，例えば，住所，氏名，Ｅメールアドレス，その他のユーザー情報はユーザー情報記録フィールド１４に記録される。
【００４１】
ユーザー認証が完了した後，又は新規ユーザー登録が完了した後に，曲演奏データ作成機能の処理ステップに至った場合には，ユーザーに，処理の選択を促す。選択する処理は，例えば，ボイスの作成に対応しては，「録音データの転送」及び「ボイスの作成」等であり，また曲演奏データの作成に対応しては，「ボイスの選択」，「曲目の選択」，「曲演奏データの作成」及び「曲演奏データの転送」等である。
【００４２】
即ち，ユーザーは，ボイスを作成する際，まず「録音データの転送」を選択して，ユーザー端末装置３の録音データ記録手段６に記録されている所定の録音データをサーバー２のユーザー情報記録手段１２の録音データ記録フィールド１５に転送し，転送が終了した後，「ボイスの作成」を選択して，ボイス作成手段１８にボイスの作成処理を行わせる。
【００４３】
ボイス作成手段１８は，録音データ記録フィールド１５に記録されている所定の録音データからボイスを作成する。このようなボイスの作成は，従来，サンプラーにおいて行われている処理を適用することができ，例えば，録音データから閾値以上のレベルの部分を抽出して，所定時間のサンプルを切り出し，このサンプルに基づき，MIDIファイルやSMAFファイル等の曲データに対応して発音制御が可能なボイスを作成し，作成したボイスをユーザー情報記録手段１２のボイス記録フィールド１６に記録する。
【００４４】
次いで曲演奏データの作成において，ユーザーは，画面上に表示されている曲目インデックス記録手段１９の記録内容から，所望の曲目を選択すると共に，ボイス記録フィールド１６に記録されているボイスを選択して，曲演奏データの作成を実行する。
【００４５】
曲演奏データ生成手段１３は，選択された曲目の曲データを，曲データ記録手段２０から取り出し，MIDIファイルやSMAFファイル等による曲データを，選択されたボイスで演奏して曲演奏データを生成する。
【００４６】
以上のようにして曲演奏データ生成手段１３により生成された当該曲目の曲演奏データは，上記ユーザー情報記録手段１２の曲演奏データ記録フィールド１７に記録される。この曲演奏データ記録フィールド１７に記録する曲演奏データのフォーマットは，当該ユーザー端末装置３において演奏可能なフォーマットとし，このフォーマットはユーザーにおける選択が可能な複数のファイルフォーマット，例えば上記mp3，WMA又はAAC等の圧縮系ファイルフォーマットとして構成することができる。しかしながらユーザー端末装置３がパーソナルコンピュータ等であり，インターネット１にブロードバンドを介して接続している場合には，無圧縮系のファイルフォーマット，たとえばWAVファイルを選択可能とすることもできる。
【００４７】
こうして曲演奏データ生成手段１３によって生成されて曲演奏データ記録フィールド１７に記録された曲演奏データは，「曲演奏データの転送」を選択することにより，サーバー２からインターネット１を介してユーザー端末装置３に送信され，ユーザー端末装置３の曲演奏データ記録手段７に記録される。
【００４８】
尚，上記ユーザー認証から曲演奏データの転送までの一連の曲演奏データ作成過程の適宜の過程において，課金の過程を設定することができる。
【００４９】
このユーザー端末装置３の曲演奏データ記録手段７に記録された曲演奏データは，必要に応じてユーザー端末装置３の曲演奏手段８により演奏することができ，通話やメールの着信を知らせる着信音として利用することができる。
【００５０】
ユーザー端末装置３が携帯電話機の場合には，曲演奏データのファイルフォーマットは，mp3，WMA又はAAC等の圧縮系ファイルフォーマットが好ましく，従って携帯電話機における曲演奏手段８は，上記mp3，WMA又はAAC等の圧縮系ファイルフォーマットの曲演奏データを再生可能な構成とすれば良い。
【００５１】
こうしてユーザーは，身近な存在の動物や人等の音色による楽曲の演奏を，自己が録音した録音データに基づいておこなうことができ，趣味性や娯楽性が非常に大きい。
【００５２】
特に，ユーザー端末装置３が携帯電話機の場合には，ユーザーは，携帯電話機のマイク部を，例えば犬や猫又は人に向けて容易に録音することができるので，簡単な操作で，身近な存在の動物や人等の音色（ボイス）での，所望の楽曲の演奏を行わせることができ，趣味性や娯楽性を更に発展させることができる。
【産業上の利用可能性】
【００５３】
本発明は以上の通りであるので，例えばユーザー端末装置として携帯電話を対象とした場合には，携帯電話機の着信メロディにおける楽曲の演奏を，携帯電話機のユーザーにとって身近な存在の動物や人等の音色（ボイス）で行えるようにすることができ，例えば，愛犬家にとって，自分の愛犬が演奏する楽曲等を着信音とした場合には，着信の度に，愛犬の声を聞けることになり，大きな満足感を得ることができる。こうして本発明では，携帯電話機の趣味性や娯楽性を，従来と比較して，更に発展させることができ，産業上の利用可能性が大である。
【００５４】
勿論，本発明では，身近な存在の動物や人等の音色による楽曲の演奏を，携帯電話機ばかりでなく，インターネットに接続された携帯電話機以外のユーザーの端末装置においても行うことも出来る。
【図面の簡単な説明】
【００５５】
【図１】本発明に係る曲演奏データ作成システムの全体構成を概念的に示す系統図である。
【符号の説明】
【００５６】
１              インターネット
２              サーバー
３（３ａ，３ｂ，３ｃ，…）  ユーザー端末装置
４              送受信手段
５              録音・再生手段
６              録音データ記録手段
７              曲演奏データ記録手段
８              曲演奏手段
９              マイク
１０            スピーカー
１１            送受信手段
１２            ユーザー情報記録手段
１３            曲演奏データ生成手段
１４            ユーザー情報記録フィールド
１５            録音データ記録フィールド
１６            ボイス記録フィールド
１７            曲演奏データ記録フィールド
１８            ボイス作成手段
１９            曲目インデックス記録手段
２０            曲データ記録手段
【図１】
2007123995.tif 000003